(57)【要約】【課題】コットン等の液剤含浸材を良好に電極部に圧着固定することができる美容機器を提供する。【解決手段】美容を行うための電流を出力する電極部を表面に設け、前記電極部に電流を供給する電源部を内蔵すると共に、前記電極部側から伸延する把持部を一体形成した本体ケーシングと、開口部を有し、前記電極部を被覆した状態の液剤含浸材を前記開口部から露出させた状態で保持するカバー体とを備えた美容機器において、前記カバー体は、前記開口部が形成されたカバープレートの外縁を内側に折曲した鍔部を有している。【選択図】図１
2010246992.tif 000002
【特許請求の範囲】
【請求項１】
本体ケーシングと、当該本体ケーシングの長手側方向の一端側に設けられた美容を行うための電流を出力する電極部と、把持部と、前記本体ケーシングに枢支部を介して開閉自在に連結され前記電極部を被覆した状態の液剤含浸材を開口部から露出させた状態で保持するカバー体とを備えた美容機器において、前記カバー体は、閉じられた時に前記本体ケーシングの側壁面部との間に所定の間隙が形成されるように外縁を内側に折曲した鍔部を有し、前記液剤含浸材を前記開口部から露出させた状態で保持したときに、カバー体により電極部に圧着された液剤含浸材は、本体ケーシングとカバー体の鍔部との間に形成された間隙を通り、本体ケーシングの背面側に突出することを特徴とする美容機器。
【請求項２】
前記枢支部を美容機器本体の長手方向の中間点よりも前記電極部の反対側に設け、前記カバー体の長さを、美容機器本体の長さの半分よりもやや大きい長さとしたことを特徴とする請求項１に記載の美容機器。
【請求項３】
前記鍔部と前記本体ケーシングの一端側を含む側壁面部との間に所定の間隙が形成されるように前記カバー体の幅と長さが規定されたことを特徴とする請求項１又は請求項２に記載の美容機器。
【請求項４】
前記電極部を、截頭円錐形状としたことを特徴とする請求項１〜３いずれか１項に記載の美容機器。
【発明の詳細な説明】
【技術分野】
【０００１】
本発明は、美容機器に関する。
【背景技術】
【０００２】
従来、美容のために供する機器の一つとして、顔面や首筋、手指などの皮膚（以下、施療部位ともいう。）に通電して、イオン化された美容成分を施療部位に導入したり、施療部位の老廃物を除去する美容機器が知られている。
【０００３】
このような美容機器は、施療部位に当接させた状態で電流を出力する電極部と、前記電極部と逆の極性を有し、施療部位から離隔した皮膚に当接させる対電極部とを備えている。
【０００４】
そして、前記電極部の表面には、水や美容液等を含浸させた液剤含浸材を配設し、この液剤含浸材と人体（皮膚）とを介して電極部と対電極部との間で通電することにより、施療部位の老廃物を液剤含浸材に捕捉させたり、液剤含浸材中の美容成分を施療部位に導入するようにしている。
【０００５】
特に近年では、場所を問わずいつでも手軽に老廃物の除去やイオンの導入を行うことができるよう、美容機器を小型軽量化し、携帯容易にしたものが提供されている。（例えば、特許文献１参照。）。
【０００６】
このような小型軽量化された美容機器によれば、使用者は、外出先等においてもバッグなどに収納して携帯することができ、所望の際に手軽に施療を行うことができるとしている。
【先行技術文献】
【特許文献】
【０００７】
【特許文献１】特開２００３−１０３４３号公報
【発明の概要】
【発明が解決しようとする課題】
【０００８】
しかしながら、上記従来の美容機器によれば、小型軽量化されたことで持ち運びは容易になったものの、施療毎に交換する液剤含浸材の使用可能な大きさが制限されており、未だ高い汎用性を有するとは言い難いものであった。
【０００９】
具体的に説明すると、一般に、液剤含浸材としては、予め所定の大きさに切りそろえてある市販の化粧用コットン（脱脂綿）が使用されるが、この市販のコットンは各社それぞれ異なった大きさや厚さを有するため、美容機器を手軽に使用可能とするためには、これらのコットンに柔軟に対応できる必要がある。
【００１０】
しかしながら、例えば、図12（ａ）にも示すように、上記従来の美容機器100では、液剤含浸材（例えば、コットン105（図12（ｂ）参照））を電極部101に圧着させるための手段が、カバー体102を機器本体103に固定するロック手段104のみであり、液剤含浸材の厚みが大きい場合にはロックすることができず、また逆にコットンが薄い場合にはロック手段が十分に機能せず、液剤含浸材を電極部101に圧着して固定することができないおそれがあった。
【００１１】
本発明は、斯かる事情に鑑みてなされたものであって、コットン等の液剤含浸材の大きさや厚みに左右されることなく、同液剤含浸材を電極部に圧着固定することができる美容機器を提供する。
【課題を解決するための手段】
【００１２】
上記従来の課題を解決するために、本発明では、本体ケーシングと、当該本体ケーシングの長手側方向の一端側に設けられた美容を行うための電流を出力する電極部と、把持部と、前記本体ケーシングに枢支部を介して開閉自在に連結され前記電極部を被覆した状態の液剤含浸材を開口部から露出させた状態で保持するカバー体とを備えた美容機器において、前記カバー体は、閉じられた時に前記本体ケーシングの側壁面部との間に所定の間隙が形成されるように外縁を内側に折曲した鍔部を有し、前記液剤含浸材を前記開口部から露出させた状態で保持したときに、カバー体により電極部に圧着された液剤含浸材は、本体ケーシングとカバー体の鍔部との間に形成された間隙を通り、本体ケーシングの背面側に突出することとした。
【００１３】
また、本発明に係る美容機器では、以下の点にも特徴を有する。
（１）前記枢支部を美容機器本体の長手方向の中間点よりも前記電極部の反対側に設け、前記カバー体の長さを、美容機器本体の長さの半分よりもやや大きい長さとしたこと。
（２）前記鍔部と前記本体ケーシングの一端側を含む側壁面部との間に所定の間隙が形成されるように前記カバー体の幅と長さが規定されたこと。
（３）前記電極部を、截頭円錐形状としたこと。
【発明の効果】
【００１４】
本発明によれば、鍔部と本体ケーシングの側壁面部との間の所定の間隙が、液剤含浸材の余剰分を美容機器の裏面側に向けて導き、裏面側に突出させる導出空間となるので、使用者が、例えば目元近傍の施療を行った場合でも、液剤含浸材が目に入るおそれがなく、安全に施療を行うことができる。
【図面の簡単な説明】
【００１５】
【図１】本実施形態に係る美容機器Ａの外観を示した斜視図である。
【図２】本実施形態に係る美容機器Ａの分解斜視図である。
【図３】本実施形態に係る美容機器Ａの側面図である。
【図４】本実施形態に係る美容機器Ａの背面図である。
【図５】本実施形態に係る美容機器Ａを開状態とした際の斜視図である。
【図６】本実施形態に係る美容機器Ａの電極部近傍における断面図である。
【図７】回路基板の構成を示すブロック図である。
【図８】他の実施形態に係る美容機器Ｂを側面から見た説明図である。
【図９】他の実施形態に係る美容機器Ｃを示した説明図である。
【図１０】他の実施形態に係る美容機器Ｄを示した説明図である。
【図１１】他の実施形態に係る美容機器Ｅを示した説明図である。
【図１２】従来技術を示す参考図である。
【発明を実施するための形態】
【００１６】
本実施形態に係る美容機器は、美容を行うための電流を出力する電極部を表面に設け、前記電極部に電流を供給する電源部を内蔵すると共に、前記電極部側から伸延する把持部を一体形成した本体ケーシングと、開口部を有し、前記電極を被覆した状態の液剤含浸材を前記開口部から露出させた状態で保持するカバー体と、を備え、前記カバー体は、前記本体ケーシングに重合させた状態で、当該カバー体を前記把持部と共に把持して前記液剤含浸材を当該カバー体と前記本体ケーシングとの間で押圧保持する把持領域形成部を有するものである。
【００１７】
すなわち、本発明は、電極部と開口部との間に液剤含浸材を配置し、本体ケーシングに形成した把持部と、カバー体に形成した把持領域形成部とを重合させるように把持することで、液剤含浸材の大きさや厚みに左右されることなく、液剤含浸材を電極部に圧着固定することができるハンディタイプの美容機器を提供することを目的としており、これを実現した美容機器としている。
【００１８】
このような美容機器は、例えば、電気的な力を利用した美容機器において適用され、例えば皮膚の老廃物等をイオンの力で導出させる、いわゆるイオンクレンジング器として使用することができる。
【００１９】
また、本実施形態に係る美容機器は、前述のイオンクレンジング器に限定されず、コットン等の液剤含浸材に含まれるイオン化成分を前記電極部からの電流（パルス電流）によって前記被施療部へ導入するいわゆるイオン導入器にも好適であることはいうまでもない。
【００２０】
ここで、施療部位は、特に限定されるものではないが、例えば本実施形態のように、本願発明に係る美容機器をイオンクレンジング器として使用する場合には、使用者が皮膚の老廃物を取り除きたい場所となる。特に、粘膜などからなるものではなく、顔面や手などのような肌であれば使用することができる。
【００２１】
また、本発明に係る美容機器をイオン導入器として使用した場合も同様であり、施療部位は特に限定されるものではなく、特に効果的には顔面を挙げることができる。
【００２２】
また、液剤含浸材は、液剤を含浸させることのできる素材であれば特に限定されるものではなく、略シート状に形成された布、コットン（脱脂綿）、スポンジ、ゲル体、不織布等のいずれであっても良い。
【００２３】
また、液剤含浸材に含浸させる液剤は、導電性を有する液剤であれば特に限定されるものではなく、水、イオン化成分溶液（電解質溶液）、化粧水、クレンジング液、またはこれらの混合溶液とすることができる。
【００２４】
併せて、液剤含浸材の形状は、例えば、矩形状、円形状、楕円形状、多角形状などあらゆる形状のものを使用することができ、サイズも適宜寸法のものを使用することができる。
【００２５】
また、前記従来の美容機器では、電極部に配置することのできる液剤含浸材の厚みは例えば５ｍｍまでというように限度があったが、本発明に係る美容機器によれば、液剤含浸材で被覆した電極部が開口から露出可能であれば厚みに関しても限定されない。
【００２６】
特に、イオン化成分溶液に含まれるイオン化成分としては、例えば、イオン化したビタミン類やミネラル分を挙げることができる。
【００２７】
本体ケーシングの表面に設けた電極部は、導電性のある金属や樹脂で形成している。また、対電極部も電極部と同様に、導電性のある金属や樹脂で形成しており、通電可能に構成しているが、電極部とは逆の極性となるようにしている。
【００２８】
そして、電極部を、液剤含浸材を介して皮膚（施療部位）にあてがうことにより、電極部から出力された電流は、液剤含浸材を通り、人体を介して対電極部へ流れることとなる。
【００２９】
すなわち、電極部と皮膚との間の電位勾配により、皮膚の老廃物を液剤含浸材に吸着させたり、液剤含浸材中のイオン化成分を施療部位に浸透させたりするようにしている。
【００３０】
また、この際、電極部からは、平滑電流が出力されるように構成してもよいが、パルス（パルス電流）が出力されるように構成するのが好ましい。このパルスの振幅やデューティー比などの各条件は特に限定されるものではなく、仕様や使用条件に合わせて適宜選択することができる。
【００３１】
このパルスは、電源部から供給される電流を、パルス出力部で変換することにより形成されるようにしてもよい。
【００３２】
また、本発明における特徴的な構成として、液剤含浸材をカバー体と本体ケーシングとの間で押圧保持すべく、本体ケーシングに把持部を設ける一方、カバー体に把持領域形成部を設けている。
【００３３】
すなわち、カバー体の把持領域形成部と、本体ケーシングの把持部との両者を併せて把持することにより、液剤含浸材がカバー体と本体ケーシングとの間で挟持され、同液剤含浸材が電極部に押圧固定されるようにしている。
【００３４】
なお、カバー体と本体ケーシングは別体で構成されても良いが、後述する実施例のように枢支部を設けて、例えるならば、カバー体と本体ケーシングとの両者をトングのように機能させることも考えられる。
【００３５】
したがって、液剤含浸材の大きさや厚みに比較的左右されることなく、液剤含浸材を電極部に圧着固定することができ、使い勝手を極めて良好にすることができるのである。
【００３６】
また、使用者の身体を介して前記電極部と導通する対電極部は、把持部の背面側に形成すると良い。
【００３７】
対電極部を把持部の背面側に形成することにより、カバー体と本体ケーシングとの挟持状態を維持させるための把持姿勢が確実に対電極部を手指に接触させる姿勢につながり、従来のように対電極部を視認して意識的に接触する必要がなくなる。
【００３８】
また、使用者が把持部と把持領域形成部とを同時に把持する際に、挟持される液剤含浸材の弾性をもって反発する力が把持部の背面側に生じ、このことにより、使用者の手指にしっかりと対電極部が接触することとなり、確実に通電させることが出来る。
【００３９】
また、カバー体の長さは、少なくとも本体ケーシングの長さの半分以上とするのが好ましい。このような構成とすることにより、カバー体に設けられる把持領域形成部を大きくすることができ、これを手指で把持して電極部に載置した液剤含浸材を挟持しやすくなる。さらに、液剤含浸材を直接押圧する必要がないため、液剤含浸材に過剰な張力を与えることなく電極部に密着させることができる。
【００４０】
また、カバー体の長さは、本体ケーシングと略同長さに形成するようにしても良い。このような構成とすることにより、電極部に載置した液剤含浸材に過剰な張力が働くのを更に防止することができ、液剤含浸材を電極部に密着させることができる。
【００４１】
また、カバー体は、開口部が形成されたカバープレートの外縁を内側に折曲した鍔部を有し、液剤含浸材を押圧保持したときに、当該鍔部と本体ケーシングの側壁面部との間に所定の間隙が形成されるようにカバープレートの幅を規定しても良い。
【００４２】
すなわち、本体ケーシングとカバープレートとを重合させた際に、本体ケーシングとカバープレートとの間に、液剤含浸材が美容機器本体の裏面側に突出するように導く間隙を形成すると良い。
【００４３】
このような構成とすることにより、カバー体により電極部に圧着された液剤含浸材は、本体ケーシングとカバー体の鍔部との間に形成された間隙を通り、本体ケーシングの背面側に突出することとなるため、例えば、使用者が電極部（液剤含浸材）を顔面の目の近傍の皮膚に当接させた際に、カバー体よりはみ出した液剤含浸材が目に入ることを防止することができる。
【００４４】
また、前記カバー体を、前記本体ケーシングに枢支部を介して開閉自在に連結しても良い。
【００４５】
このような構成とすることにより、カバー体を開状態とすることにより、液剤含浸材を容易に電極部に配設することができると共に、カバー体を閉状態とすることで、容易に液剤含浸材を電極部に圧着固定することができる。なお、挟持時の液剤含侵材へかかる引張力や開口部縁との摩擦力や位置ずれの点から、カバー体を本体ケーシングに対して略水平方向にして液剤含侵材を押し付けることが望ましい。その点からも、前述したように、カバー体が本体ケーシングの長さの少なくとも半分以上とした場合は、電極部が開口部をくぐり始める際の、本体ケーシングに対するカバー体の角度をできるだけ小さくすることができ、結果的に本体ケーシングに対してカバー体を略水平方向に押し付けた状態に可及的に近づけることができる。
【００４６】
また、上記枢支部の位置としては、前記電極部を前記本体ケーシング表面の長手側方向の一端側に設ける一方、前記枢支部を前記本体ケーシングの長手側方向の他端に設けるようにすることがより好ましい。
【００４７】
もちろん、枢支部は、上記のように電極部の位置の反対側の端部に設ける構成に限らず、後に図９を用いて説明するが、電極部と同じ側の端部に設けても良い。また、電極部は端部に設ける必要はなく、端部からやや離れた位置でも良く、例えば本体ケーシングの中央に電極部が形成されていてもかまわない。
【００４８】
更には、枢支部の位置は図10に示すように本体ケーシングの長手方向に沿った側部に設けられていても良い。
【００４９】
枢支部の位置が電極部と同一側にあれば、弱い把持力で十分な挟持力を付与させることが出来る効果があり、また枢支部の位置が側部であればカバー体の開閉時の回動量が軽減出来る効果がある。
【００５０】
更には図３に示すような実施例では、電極部を被施療部に当接させやすくするために美容機器本体及びカバー体を湾曲させて、電極部の突出方向を外側に向けているが、この場合は枢支部の位置が電極部と同一側にあれば枢支部を中心とした回動軌跡と電極部の突出方向が略一致し都合が良い。
【００５１】
このような構成とすることにより、カバー体の回動半径を大きくすることができて、液剤含浸材を載置した電極部がカバー体の開口を通過する際に、開口の周端部が液剤含浸材に略平行に当接することとなり、上述したようなことから、挟持時の液剤含侵材へ過剰な引張力がかかることや、位置ずれを効果的に防止することができる。
【００５２】
なお、枢支部には弾性体を配設して、本体ケーシングからカバー体が離隔する方向へ付勢したり、本体ケーシングとカバー体とが重合する方向に付勢したりするようにしても良い。
【００５３】
例えば、枢支部に、本体ケーシングからカバー体が離隔する方向へ付勢する弾性体を設けた場合、電極部に液剤含浸材を挿入するに際し、使用者がカバー体を離隔させて保持する動作を省くことができる。
【００５４】
また、枢支部に、本体ケーシングとカバー体とが重合する方向に付勢する弾性体を設けた場合には、使用者の握力が少ない場合でも、確実に液剤含浸材を美容機器に挟持させることができる。
【００５５】
また、本発明に係る美容機器は、使用時においては、カバー体の開口部と電極部が弾性のある液剤含浸材を介して嵌合した状態となっている場合が多く、把持による挟持力を得ずとも無用な開閉が生じにくい点に特徴がある。
【００５６】
しかしながら、美容機器の非使用時などでは、嵌合による離脱防止効果は得られない場合があるので、本体ケーシングとカバー体の無用な開閉を防止するために、本体ケーシングにカバー体を係止するためのロック機構を設けるようにしても良い。
【００５７】
また、前記電極部を、截頭円錐形状とすることができる。このような構成とすることにより、電極部（液剤含浸材）を顔面に当接させた際に、小鼻や目尻などの曲線や凹凸にフィットさせることができて、隅々まで容易に施療することができる。
【００５８】
以下、本発明に係る美容機器について、図面を参照しながら詳説する。
【００５９】
図１は、本実施形態に係る美容機器Ａの外観を示した斜視図、図２は本実施形態に係る美容機器Ａの分解斜視図、図３は本実施形態に係る美容機器Ａの側面図、図４は本実施形態に係る美容機器Ａの背面図である。
【００６０】
まず、美容機器Ａの概要を説明する。図１に示すように、本実施形態に係る美容機器Ａは、正面視略長矩形状で、側面視において僅かに円弧状に湾曲させた形状を有しており、同美容機器Ａの上部には、美容を行うための電流を出力する電極部11を露出して形成している。
【００６１】
この電極部11は、後に詳述するが、コットン等の液剤含浸材を載置して、美容機器Ａに挟持させることにより、使用者の施療部位に接触させて施療を行うための部位である。
【００６２】
また、図１及び図２にも示すように、美容機器Ａは、電極部11を配設した美容機器本体10と、電極部11を露出させる略楕円形状の電極部露出孔12を有し、正面視略長矩形状で、側面視において美容機器本体10に沿わせて円弧状に湾曲させたカバー体13とを備えており、美容機器本体10とカバー体13とを重合させ、両者の下端部を組み合わせて形成した枢支部22で左右幅方向に枢支して美容機器Ａを構成している。
【００６３】
また、この美容機器Ａは、本発明に特徴的な点の一つとして、美容機器本体10に把持部17を形成する一方、カバー体13に把持領域形成部34を形成し、使用者は把持部17とカバー体13とを同時に把持して美容機器Ａを使用するようにしている。
【００６４】
すなわち、本実施形態に係る美容機器Ａは、枢支部22を中心に美容機器本体10に対してカバー体13を回動して離隔させ、予め液剤を含浸させた液剤含浸材を電極部11に配置し、カバー体13を回動して美容機器本体10に重合させた後、使用者は、把持部17と把持領域形成部34とを併せて把持して施療部位に液剤含浸材（電極部11）を当接させて施療を行うものである。
【００６５】
ところで、ここで示す美容機器Ａは、図３にも示すように、本体形状を電極部11側に突出するよう弓なりに湾曲させて形成しているが、これにより、電極部11（液剤含浸材）を施療部位に接触させた際に、美容機器Ａを把持する手が、施療部位近傍の皮膚に当接して邪魔になることがない。
【００６６】
すなわち、施療の際に美容機器Ａを把持する手を、肌の表面からできるだけ離隔させるようにしている。また、電極部11（液剤含浸材）を顔面に接触させた場合、使用者の手首に負担をかけず、手首をできるだけ自然な角度としながら美容機器Ａを把持することができるという長所がある。
【００６７】
次に、美容機器Ａを構成する美容機器本体10とカバー体13との構成について、個々に説明する。
【００６８】
美容機器本体10は、図２に示すように、外観を形成する本体ケーシング14により構成されている。また、この本体ケーシング14には、表面15に美容を行うための電流を出力する電極部11が備えられている。
【００６９】
電極部11は、美容機器本体10の本体上端部18近傍に配設されており、導電性素材にて外観視略截頭円錐形状に形成している。
【００７０】
また、本体ケーシング14は、電極部11側から本体下端部19へ向けて伸延する把持部17を一体形成して構成しており、同把持部17の長手方向の長さは、大人の掌の幅と略同等としている。
【００７１】
本体ケーシング14の本体下端部19の両側面には、受座20,20を形成しており、この受座20,20には、カバー体13に設けられた枢支突片21,21（後述）と遊嵌して枢支部22を形成する枢支孔23,23が穿設されている。
【００７２】
また、本体ケーシング14の裏面24には、図４に示すように、本体ケーシング14に内蔵された電源部16の蓋体28と、美容機器Ａを操作するための操作部25と、使用者の身体を介して電極部11と導通する対電極部26とが配設されている。
【００７３】
電源部16は、本体ケーシング14の内部に設けられており、本体ケーシング14に凹部を設けて電池27,27を出入可能とし、この凹部を蓋体28で閉蓋して構成している。この電源部16は、凹部に挿入した電池27,27から、本体ケーシング14の内部に配設した回路基板29に電源を供給するものである。
【００７４】
操作部25は、本体ケーシング14の裏面24の本体上端部18側に配設されており、同操作部25は、美容機器Ａの電源のＯＮ／ＯＦＦを表示する電源ランプ30と、美容機器Ａの電源のＯＮ／ＯＦＦを切り替える電源スイッチ31と、電極部11と対電極部26との間で導通する電流の大小を切り替える強弱切替スイッチ32と、電極部11及び対電極部26の極性を反転させる極性反転スイッチ33とを備えている。
【００７５】
これらの電源ランプ30や各スイッチ31,32,33もまた、電源部16と同様に、本体ケーシング14に内蔵した回路基板29に接続されており、各スイッチ31,32,33から回路基板29へ各種信号を送信することにより、美容機器Ａを制御可能としている。なお、この回路基板29については、後に図７を用いて説明する。
【００７６】
対電極部26は、本体ケーシング14の裏面24から、同本体ケーシング14の側面に沿って左右２つ配設されており、使用者が把持部17と把持領域形成部34とを共に把持することで、対電極部26に手指が接触するようにしている。
【００７７】
また、美容機器本体10（本体ケーシング14）の側面部に着眼すると、美容機器本体10の左右幅方向をやや狭めて本体肩部35,35が形成されており、この本体肩部35,35を境に、下方を把持部17とし、上方を幅狭部36としている。
【００７８】
また、この幅狭部36の正面視における形状は、カバー体13の正面視における上部の形状よりも一回り（液剤含浸材の厚み程度）小さな略相似形状としている。
【００７９】
この幅狭部36の側面は、後述するカバー体13の鍔部42との間に隙間（導出空間Ｖ）を形成して、液剤含浸材が美容機器Ａの背面側に突出するよう設けられたものである。
【００８０】
次に、美容機器本体10と対をなすカバー体13について説明すると、同カバー体13は、正面視略長矩形状で、その上端部40を略半円弧状に形成したカバープレート41と、このカバープレート41の外縁を内側に折曲して形成した鍔部42とで構成している。
【００８１】
また、図３にも示すように、カバー体13の長手方向の長さL2は、前述の本体ケーシング14の長手方向の長さL1と略同長さとしており、電極部11が電極部露出孔12をくぐり始める際の、本体ケーシング14に対するカバー体13の角度θをできるだけ小さくすることができ、本体ケーシング14に対してカバー体13を略水平方向に押し付けた状態に可及的に近づけるようにしている。
【００８２】
さらには本実施例では、電極部11を被施療部に当接させやすくするために美容機器本体10及びカバー体13を湾曲させて、電極部11の突出方向を外側に向けている。
【００８３】
よって、この実施例では開口部12の枢支部22を中心とした回動軌跡と電極部11の突出方向が一致しないが、電極部11の形状を截頭円錐形状とし開口部12へのスムーズな挿入を促進させている。
【００８４】
また、図２に示すように、カバープレート41には、電極部11を露出させるための開口部として、正面視において長手方向に長軸を向けた円形もしくは略楕円形状の電極部露出孔12が上端部40の近傍に穿設されており、この電極部露出孔12は、美容機器本体10に配設した電極部11に対応する位置としている。
【００８５】
すなわち、美容機器本体10とカバー体13とを重合状態とした際に、電極部11は電極部露出孔12から突出するように形成している。
【００８６】
なお、電極部露出孔12の楕円形状は、電極部11から枢支部22までの長さや、電極部11の大きさによって適宜設定することができる。
【００８７】
本実施例においては、電極部露出孔12をカバー体の長手方向に長い楕円形状としているため、電極部11に液剤含浸材を載置した状態でカバー体13を被せた際に、カバー体13との摩擦により液剤含浸材に美容機器本体10の長手方向へ働く張力を緩衝しつつ、電極部11の左右側面近傍では液剤含浸材を電極部11にぴったりとフィットさせることができる。
【００８８】
また、カバー体下端部43近傍の鍔部42には、美容機器本体10の受座20,20に穿設した枢支孔23,23に遊嵌するための枢支突片21,21を突設しており、同枢支突片21,21を枢支孔23,23に挿入することで、枢支部22を形成するようにしている。
【００８９】
本実施形態に係る美容機器Ａは、上述してきた構成を有する美容機器本体10にカバー体13を枢支して形成しているのである。
【００９０】
すなわち、美容機器本体10とカバー体13とは、両者の下端部にて枢支部22を介して連結されており、カバー体13は美容機器本体10に対して、左右方向（美容機器Ａの幅方向）へ向けた軸線の円弧方向へ向けて所定の範囲で回動自在（開閉自在）に形成している。なお、以下の説明において、美容機器本体10に対してカバー体13が枢支部22を軸として回動し、美容機器本体10とカバー体13とが重合した状態を閉状態といい、美容機器本体10とカバー体13とが離隔した状態を開状態という。
【００９１】
そして、特徴的には、把持部17と把持領域形成部34とを使用者が把持することにより、美容機器本体10に対してカバー体13が閉状態となるようにしている。すなわち、本実施形態に係る美容機器Ａは、電極部11に液剤含浸材を載置し、使用者が把持領域形成部34を把持することにより、枢支部22を軸として美容機器本体10とカバー体13とが閉状態となり、トング状（ピンセット状）に液剤含浸材を挟持するよう構成している。
【００９２】
次に、実際に美容機器Ａを使用する手順を追って、美容機器Ａ特徴的な構成について更に説明すると、まず、図５に示すように美容機器Ａを使用するにあたり、開状態とした美容機器Ａの電極部11に、液剤を予め含浸させた液剤含浸材を配置する。なお、図５は、本実施形態に係る美容機器Ａを開状態とした際の斜視図である。
【００９３】
次いで、カバー体13を美容機器本体10へ徐々に接近させると、カバー体13は、液剤含浸材44に接触することとなる。
【００９４】
さらに、使用者は、把持部17と把持領域形成部34とを共に把持することにより、液剤含浸材44が電極部11に押しつけられると同時に、液剤含浸材44が電極部11を被覆した状態で圧着固定されながら電極部露出孔12より露出することとなる。
【００９５】
この際、電極部11近傍における左右幅方向の断面を見ると、図６に示すように、美容機器本体10とカバー体13との間に導出空間Ｖが形成され、液剤含浸材44がこの導出空間Ｖにより、美容機器本体10の側面に沿って裏面側に向けて突出することとなる。
【００９６】
ここで、従来の美容機器における液剤含浸材の挟持形態を参照すると、図12（ｂ）に示すように、導出空間Ｖを形成していないため、液剤含浸材105が美容機器100の側面に向けて突出していることが分かる。
【００９７】
このように美容機器100の側面に液剤含浸材105が突出すると、例えば、使用者が目の近傍を施療している場合、側方に突出した液剤含浸材105の端部が目に入ってしまったり、邪魔になったりするおそれがある。
【００９８】
一方、図６に示すように、本実施形態に係る美容機器Ａによれば、導出空間Ｖを設けて液剤含浸材44の余剰分を美容機器Ａの裏面側に向けて導いて（誘導して）、裏面側に突出させることとしているため、使用者が、例えば目元近傍の施療を行った場合でも、液剤含浸材44が目に入るおそれがなく、安全に施療を行うことができる。
【００９９】
上述してきたように、本実施形態に係る美容機器Ａによれば、使用者が把持領域形成部34を把持すると同時に対電極部26に接触することとなり、使用者が液剤含浸材（電極部11）を施療部位に当接させることで、電極部11と対電極部26との間で、液剤含浸材と人体とを介して導通し、皮膚の老廃物を除去したり、皮膚にイオン化成分を浸透させることができる。
【０１００】
次に、図７を用いて美容機器本体10の内部に収容した、美容機器Ａを制御するための回路基板29について説明する。図７は、回路基板29の構成を示すブロック図である。
【０１０１】
図７に示すように、回路基板29は、電源を供給するための電源部16と、同電源部16に接続され、美容機器Ａの制御を行う制御部38とを備えている。
【０１０２】
また、制御部38には、美容機器Ａの電源のＯＮ／ＯＦＦを行うための電源スイッチ31と、電極部11と対電極部26との極性を反転させるための極性反転スイッチ33と、電極部11より出力する電流の大小を調節する強弱切替スイッチ32と、美容機器Ａの駆動状態を示す電源ランプ30とを接続している。
【０１０３】
さらに、制御部38には、電極部11にパルスを出力するパルス出力部39を接続しており、制御部38からの信号に応じて、電源部16より供給される電流をパルスに変換して出力する役割を担っている。
【０１０４】
このパルス出力部39には、被施療部に液剤含浸材を介して接触させ、当該被施療部に電流を出力する電極部11と、前記電極部11と使用者の人体を介して導通する対電極部26とが接続されている。
【０１０５】
そして、このような構成の回路基板29を有する美容機器Ａによれば、以下の様な動作を行うこととなる。
【０１０６】
まず、電源スイッチ31をＯＮ動作すると、電源部16より制御部38に電流が供給され、電源ランプ30が点灯し、制御部38はパルス出力部39にパルス出力を指示する信号を送信する。
【０１０７】
パルス出力部39は、制御部38からのパルス出力を指示する信号を受信すると、制御部38を介して電源部16からの電流を受けてパルスに変換し、電極部11に出力する。
【０１０８】
パルスは、電極部11から液剤含浸材を介して人体を通り、電極部11と反対の極性を有する対電極部26に導通することとなる。
【０１０９】
この際、電極部11の表面に配設した液剤含浸材には、電極部11と反対の極性を帯びた老廃物が、施療部位から吸引されて捕捉されることとなる。
【０１１０】
また、ここで、極性反転スイッチ33をＯＮ動作すると、制御部38は、パルス出力部39に、電極部11と対電極部26との極性を入れ替える信号を送出する。
【０１１１】
これにより、例えば液剤含浸材にイオン化成分が含浸されている場合には、電極部11の極性と反対の極性を有するイオン化成分が人体側へ向かって流れ、液剤含浸材（電極部11）と当接する被施療部にイオン化成分を浸透させることができる。
【０１１２】
また、強弱切替スイッチ32をＯＮ動作すると、制御部38は、電源部16からパルス出力部39へ送給する電流の大小を切り替え、電極部11から出力されるパルスの振幅が変更されることとなる。
【０１１３】
これにより、液剤含浸材に老廃物を吸着させる際の吸着力を加減したり、液剤含浸材に含まれるイオン化成分を電極部11から被施療部へ向けて供給する際の供給量を増減させることができる。
【０１１４】
このようにして施療を行った後、使用者は、電源スイッチ31をＯＦＦ動作することにより、電源部16から供給される電流を遮断し、施療部位の老廃物の吸着や、液剤含浸材から施療部位へ供給されるイオン化成分の流れを止めることができる。
【０１１５】
次に、本発明に係る美容機器の他の実施形態について図８を用いて説明する。図８は、他の実施形態に係る美容機器Ｂを側面から見た説明図である。なお、以下の説明において、前述の説明と同じ部位には同じ符号を付している。また、前述の美容機器Ａと同様の構成を有する部分については説明を省略する。
【０１１６】
この美容機器Ｂは、前述の美容機器Ａと基本的な構成を同じくしているが、美容機器本体10及びカバー体13を湾曲させることなく、直線状に形成している点で異なっている。
【０１１７】
また、カバー体13の長さを、美容機器本体10の長さの半分よりもやや大きい長さとしており、枢支部22を美容機器本体10の長手方向の中途部に設けている点でも構造を異にしている。
【０１１８】
具体的には、美容機器本体10の長手方向の長さL1に対し、カバー体13の長手方向の長さは、L1の半分の値よりもやや長く形成している。また、枢支部22は、美容機器本体10の長さL1の中間点Ｐよりも本体下端部19側に形成している。
【０１１９】
このような美容機器Ｂにおいても、美容機器本体10の把持部17とカバー体13の把持領域形成部34とを重合させて把持可能に形成しているため、液剤含浸材の大きさや厚みに左右されることなく、同液剤含浸材を電極部11に圧着固定することができる。
【０１２０】
また、さらなる他の実施形態として、図９に美容機器Ｃを示す。この美容機器Ｃは、前述の美容機器Ａと基本的な構成を同じくしているが、枢支部22が美容機器本体10の本体上端部18側に設けられている点に特徴を有している。
【０１２１】
すなわち、美容機器本体10とカバー体13とは、両者の上端部にて枢支部22を介して連結されており、カバー体13は美容機器本体10に対して、左右方向へ向けた軸線の円弧方向へ向けて所定の範囲で回動自在（開閉自在）に形成している。
【０１２２】
また、美容機器Ａと同様に、美容機器本体10には把持部17が形成され、カバー体13には把持領域形成部34が形成されている。
【０１２３】
そして、把持部17と把持領域形成部34とを使用者が把持することにより、美容機器本体10に対してカバー体13が閉状態となるようにしている。すなわち、本実施形態に係る美容機器Ｃは、電極部11に液剤含浸材を載置し、使用者が把持領域形成部34を把持することにより、美容機器Ｃの上部に配設した枢支部22を軸として美容機器本体10とカバー体13とが閉状態となり、液剤含浸材を挟持するよう構成している。
【０１２４】
このような美容機器Ｃにあっても、液剤含浸材の大きさや厚みに左右されることなく、液剤含浸材を電極部に圧着固定することができる。しかも、枢支部22の位置を電極部11と同一側となる美容機器本体10の上端部としているため、弱い把持力で十分な挟持力を付与させることができるのである。
【０１２５】
換言すると、液剤含浸材44を電極部11に押圧するための電極部露出孔12（作用点）の位置を、枢支部22（支点）と把持領域形成部34（力点）との間の位置とすることができるため、把持部17及び把持領域形成部34に付与する力が小さい場合であっても、液剤含浸材44をしっかりと保持することができる。
【０１２６】
また、さらなる他の実施形態として、図１０（ａ）に美容機器Ｄを示す。この美容機器Ｄは、前述の美容機器Ａと基本的な構成を同じくしているが、枢支部22が美容機器本体10の側面部に設けられている点に特徴を有している。
【０１２７】
すなわち、美容機器本体10とカバー体13とは、図１０（ｂ）にも示すように、両者の側面部にて枢支部22を介して連結されており、カバー体13は美容機器本体10に対して、美容機器Ｄの長手方向へ向けた軸線の円弧方向へ向けて所定の範囲で回動自在（開閉自在）に形成している。
【０１２８】
また、美容機器Ａと同様に、美容機器本体10には、把持部17が形成され、カバー体13には把持領域形成部34が形成されている。
【０１２９】
そして、把持部17と把持領域形成部34とを使用者が把持することにより、美容機器本体10に対してカバー体13が閉状態となるようにしている。すなわち、本実施形態に係る美容機器Ｄは、電極部11に液剤含浸材を載置し、使用者が把持領域形成部34を把持することにより、美容機器Ｃの上部に配設した枢支部22を軸として美容機器本体10とカバー体13とが閉状態となり、液剤含浸材44を挟持するよう構成している。
【０１３０】
このような美容機器Ｄにあっても、液剤含浸材の大きさや厚みに左右されることなく、液剤含浸材を電極部に圧着固定することができる。しかも、枢支部22の位置を美容機器本体10の側面部としているため、カバー体の開閉時の回動量を可及的少なくすることができる。
【０１３１】
また、さらなる他の実施形態として、図１１に美容機器Ｅを示す。この美容機器Ｅは、前述の美容機器Ａと基本的な構成を同じくしているが、美容機器本体10とカバー体13とが蝶番状の枢支部22で連結されておらず、リンク機構50を介して連結されている点に特徴を有している。
【０１３２】
具体的に説明すると、カバー体13の鍔部42と、美容機器本体10の側面部との間に、美容機器Ｅの左右側面部にそれぞれ一つずつリンク機構50が配設されており、同リンク機構50は、略同じ長さの２本のロッド51,51からなり、カバー体13が美容機器本体10に対して略並行を保ちながら上下動するようにしている。
【０１３３】
また、美容機器本体10には、把持部17が形成される一方、カバー体13には把持領域形成部34が形成されている。
【０１３４】
そして、使用者が、把持部17と把持領域形成部34とを把持することにより、美容機器本体10に対してカバー体13が閉状態となるようにしている。すなわち、本実施形態に係る美容機器Ｅは、電極部11に液剤含浸材を載置し、使用者が把持領域形成部34を把持することにより、カバー体13が美容機器本体10に押さえつけられる状態となり、液剤含浸材を挟持するよう構成している。
【０１３５】
このような美容機器Ｅにあっても、液剤含浸材の大きさや厚みに左右されることなく、液剤含浸材を電極部に圧着固定することができる。しかも、カバー体13の電極部露出孔12を電極部11に対して略水平方向から近接させることができて、美容機器Ｅを閉状態とする際に液剤含浸材がずれてしまうことを防止できる。
【０１３６】
上述してきたように、本発明によれば、美容を行うための電流を出力する電極部（例えば、電極部11）を表面（例えば、表面15）に設け、前記電極部に電流を供給する電源部（例えば、電源部16）を内蔵すると共に、前記電極部側から伸延する把持部（例えば、把持部17）を一体形成した本体ケーシング（例えば、本体ケーシング14）と、開口部（例えば、電極部露出孔12）を有し、前記電極を被覆した状態の液剤含浸材（例えば、液剤含浸材44）を前記開口部から露出させた状態で保持するカバー体（例えば、カバー体13）と、を備えた美容機器において、前記カバー体は、前記本体ケーシングに重合させた状態で、当該カバー体を前記把持部と共に把持して前記液剤含浸材を当該カバー体と前記本体ケーシングとの間で押圧保持する把持領域形成部（例えば、把持領域形成部34）を有することとしたため、コットン等の液剤含浸材の大きさや厚みに左右されることなく、同液剤含浸材を電極部に圧着固定することのできる美容機器（例えば、美容機器Ａ〜Ｅ）とすることができる。
【０１３７】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。例えば、電極部露出孔12の形状を楕円形状として説明したが、真円であってもよい。
【符号の説明】
【０１３８】
10  美容機器本体
11  電極部
12  電極部露出孔
13  カバー体
14  本体ケーシング
15  表面
16  電源部
17  把持部
22  枢支部
24  裏面
26  対電極部
34  把持領域形成部
41  カバープレート
42  鍔部
44  液剤含浸材
Ａ  美容機器
Ｂ  美容機器
Ｃ  美容機器
Ｄ  美容機器
Ｅ  美容機器
Ｖ  導出空間
【図１】
2010246992.tif 000003
【図２】
2010246992.tif 000004
【図３】
2010246992.tif 000005
【図４】
2010246992.tif 000006
【図５】
2010246992.tif 000007
【図６】
2010246992.tif 000008
【図７】
2010246992.tif 000009
【図８】
2010246992.tif 000010
【図９】
2010246992.tif 000011
【図１０】
2010246992.tif 000012
【図１１】
2010246992.tif 000013
【図１２】
2010246992.tif 000014